(57)【特許請求の範囲】
【請求項１】
第１の白色光を出射する第１発光部と、
第２の白色光を出射する第２発光部と、
前記第１発光部の光量と前記第２発光部の光量との比率を制御する光量比率制御部とを備え、
ｘｙ色度図における前記第１の白色光の色度および前記第２の白色光の色度が、ｘｙ色度図に示されたＭａｃＡｄａｍ楕円の長軸および短軸をそれぞれ３倍の長さにして得られる楕円の内側の領域内に存在し、
前記第１の白色光は、前記第２の白色光に比べて、演色性が低く、且つ同一の対象物に照射されたとき対象物が示す色の彩度が高い
ことを特徴とする照明装置。
【請求項２】
前記第１発光部は、
第１発光素子と、
透光性基材に１種類以上の蛍光体が分散されてなり且つ前記第１発光素子を覆う第１波長変換部材とを有し、
前記第２発光部は、
第２発光素子と、
透光性基材に１種類以上の蛍光体が分散されてなり且つ前記第２発光素子を覆う第２波長変換部材とを有し、
前記第１波長変換部材と前記第２波長変換部材とでは、前記透光性基材に分散された蛍光体の組み合わせが互いに異なる
ことを特徴とする請求項１記載の照明装置。
【請求項３】
前記第１波長変換部材は、前記透光性基材に黄色蛍光体および赤色蛍光体が分散されてなり、
前記第２波長変換部材は、前記透光性基材に緑色蛍光体および赤色蛍光体が分散されてなる
ことを特徴とする請求項２記載の照明装置。
【請求項４】
前記第１波長変換部材は、前記透光性基材に赤色蛍光体が分散されてなり、
前記第２波長変換部材は、前記透光性基材に緑色蛍光体および赤色蛍光体が分散されてなる
ことを特徴とする請求項２記載の照明装置。
【請求項５】
前記第１波長変換部材は、更に、前記透光性基材にシリケート系の緑色蛍光体が分散されてなる
ことを特徴とする請求項４記載の照明装置。
【請求項６】
前記第１波長変換部材は、更に、前記透光性基材にネオジム化合物が分散されてなる
ことを特徴とする請求項３乃至５のいずれか１項に記載の照明装置。
【請求項７】
前記第１発光部および前記第２発光部それぞれに各別に電流供給を行う電源回路を更に備え、
前記光量比率制御部は、前記電源回路から前記第１発光部に供給する電流の大きさと、前記電源回路から前記第２発光部に供給する電流の大きさとの比率を変化させることにより、前記第１発光部の光量と前記第２発光部の光量との比率を変化させる
ことを特徴とする請求項１乃至６のいずれか１項に記載の照明装置。
【請求項８】
第１の白色光の色域面積比Ｇａ、Ｇａ４、目立ち指数ＦＣＩが、第２の白色光の色域面積比Ｇａ、Ｇａ４、目立ち指数ＦＣＩに比べてそれぞれ高い
請求項１乃至７のいずれか１項に記載の照明装置。
【請求項９】
第１の白色光を出射する第１発光部と、
第２の白色光を出射する第２発光部とを備え、
ｘｙ色度図における前記第１の白色光の色度および前記第２の白色光の色度が、ｘｙ色度図に示されたＭａｃＡｄａｍ楕円の長軸および短軸をそれぞれ３倍の長さにして得られる楕円の内側の領域内に存在し、
前記第１の白色光は、前記第２の白色光に比べて演色性が高く且つ、同一対象物に照射されたとき対象物が示す色の彩度が低い
ことを特徴とする発光装置。
【請求項１０】
前記第１発光部は、
第１発光素子と、
透光性基材に１種類以上の蛍光体が分散されてなり且つ前記第１発光素子を覆う第１波長変換部材とを有し、
前記第２発光部は、
第２発光素子と、
透光性基材に１種類以上の蛍光体が分散されてなり且つ前記第２発光素子を覆う第２波長変換部材とを有し、
前記第１波長変換部材と前記第２波長変換部材とでは、前記透光性基材に分散された蛍光体の組み合わせが互いに異なる
ことを特徴とする請求項９記載の発光装置。
【請求項１１】
前記第１波長変換部材は、前記透光性基材に黄色蛍光体および赤色蛍光体が分散されてなり、
前記第２波長変換部材は、前記透光性基材に緑色蛍光体および赤色蛍光体が分散されてなる
ことを特徴とする請求項１０記載の発光装置。
【請求項１２】
前記第１波長変換部材は、前記透光性基材に赤色蛍光体が分散されてなり、
前記第２波長変換部材は、前記透光性基材に緑色蛍光体および赤色蛍光体が分散されてなる
ことを特徴とする請求項１０記載の発光装置。
【請求項１３】
前記第１波長変換部材は、更に、前記透光性基材にシリケート系の緑色蛍光体が分散されてなる
ことを特徴とする請求項１２記載の発光装置。
【請求項１４】
前記第１波長変換部材は、更に、前記透光性基材にネオジム化合物が分散されてなる
ことを特徴とする請求項１１乃至１３のいずれか１項に記載の発光装置。
【請求項１５】
基板を備え、
前記第１発光部および前記第２発光部は、細長形状であり、前記基板上に、前記第１発光部および前記第２発光部の長手方向に直交する方向に交互に並列されている
ことを特徴とする請求項９乃至１４のいずれか１項に記載の発光装置。
【請求項１６】
基板を備え、
前記第１発光部および前記第２発光部は、同心環状であり、前記基板上に、中心から離れる方向に交互に配置されている
ことを特徴とする請求項９乃至１４のいずれか１項に記載の発光装置。
【請求項１７】
前記第１の白色光の色域面積比Ｇａ、Ｇａ４、目立ち指数ＦＣＩが、前記第２の白色光の色域面積比Ｇａ、Ｇａ４、目立ち指数ＦＣＩに比べてそれぞれ低い
請求項９乃至１６のいずれか１項に記載の発光装置。
【発明の詳細な説明】
【技術分野】
【０００１】
本発明は、照明装置および発光装置に関し、特に、店舗等における照明技術に関する。
【背景技術】
【０００２】
従来から、オフィスや店舗等において白色光を出射する照明装置が用いられてきている（特許文献１参照）。【０００３】
オフィス等で用いられる照明装置には、照明空間にある照明対象物が自然色に近い色で見えることが好ましいとされている。このため、出射される白色光に高い演色性（色の見え方の忠実性）が求められる。【０００４】
一方、店舗等で用いられる照明装置には、必ずしも出射される白色光に高い演色性が求められるわけではない。例えば、食料品等を扱う店舗では、食料品の色を鮮やかに見せるために、演色性は低いが彩度の高い白色光を出射する照明装置を用いて店舗照明を行う場合がある。また、被服等を扱う店舗では、例えば顧客が試着を行った際に人肌の色を際立たせるように演色性と彩度のバランスが設定された白色光を出射する照明装置を用いて店舗照明を行う場合がある。
【先行技術文献】
【特許文献】
【０００５】
【特許文献１】特開２０１２−１４６４６４号公報
【発明の開示】
【発明が解決しようとする課題】
【０００６】
ところで、近年では、顧客ニーズに合わせて、同一店舗内を複数のフロアに区切り、フロア毎に種類の異なる商品を扱うような店舗が増えてきている。そして、このような店舗では、ユーザの嗜好動向に合わせてフロアの配置替えや各フロアで扱う商品の入れ替え等の作業が行われる。そして、このようなフロアの配置替えや各フロアで扱う商品の入れ替えが行われると、各フロアで扱う商品に適した演色性、彩度を有する白色光が必要となる。また、店舗内にいる顧客が感じる温涼感は、その店舗の集客力に直結することがあるため、店舗内でフロアの配置替え等を行った前後で大きく変わらないほうが良い。従って、このような店舗で扱う白色光には、演色性や彩度は異なるが、人間が感じる温涼感に影響する色温度が略同じであることも要求される。【０００７】
フロアの配置替えや商品の入れ替え等を行う場合、従来は、各フロアに設置された照明装置を、色温度が略同じであり且つ各フロアで扱う商品に適した演色性、彩度を有する白色光を出力する照明装置に付け替えることで対応しており、大がかりなものとなっていた。【０００８】
本発明は、上記事由に鑑みてなされたものであり、店舗等における種々の照明に適した照明装置を提供することを目的とする。
【課題を解決するための手段】
【０００９】
本発明に係る照明装置は、第１の白色光を出射する第１発光部と、第２の白色光を出射する第２発光部と、第１発光部の光量と第２発光部の光量との比率を制御する光量比率制御部とを備え、第１の白色光と第２の白色光とは、ｘｙ色度図における前記第１の白色光の色度および前記第２の白色光の色度が、ｘｙ色度図に示されたＭａｃＡｄａｍ楕円の長軸および短軸をそれぞれ３倍の長さにしてなる楕円の内部に存在し、第１の白色光は、第２の白色光に比べて、演色性が低く、且つ同一の対象物に照射されたとき対象物が示す色の彩度が高い。
【発明の効果】
【００１０】
本構成によれば、光量比率制御部により、第１発光部から出射される第１の白色光の光量と、第２発光部から出射される第２の白色光の光量との比率を自由に変えることができる。これにより、色温度を同じ範囲内で維持しながら、照明装置から出射される白色光の演色性と彩度のバランスを自由に設定することができるので、照明対象物の色の見え方を自由に変えることができる。従って、例えば、同一店舗内を複数のフロアに区切り、フロア毎に種類の異なる商品を扱うような店舗において、照明装置の付け替え等を行うことなく各商品に適した演色性および彩度を有する光を得ることができる。
【図面の簡単な説明】
【００１１】
【図１】実施の形態１に係る照明装置の分解斜視図である。
【図２】（ａ）は実施の形態１に係る照明用光源の分解斜視図であり、（ｂ）は実施の形態１に係る照明用光源の要部平面図であり、（ｃ）は（ｂ）における一点鎖線Ａ１で囲んだ部分の平面図である。
【図３】実施の形態１に係る照明装置の回路図である。
【図４】ＣＩＥｘｙ色度図におけるＭａｃＡｄａｍの楕円の一例を示す図である。
【図５】（ａ）は実施の形態１に係る第１の白色光および第２の白色光に対応する等色温度認識領域を示す第１実施例に対応する図であり、（ｂ）は実施の形態１に係る第１の白色光および第２の白色光に対応する等色温度認識領域を示す第２実施例に対応する図である。
【図６】（ａ）は実施の形態１の第１実施例に係る照明装置における第１の白色光の分光スペクトルを示す図であり、（ｂ）は実施の形態１の第１実施例に係る照明装置における第２の白色光の分光スペクトルを示す図である。
【図７】（ａ）は実施の形態１の第１実施例における第１の白色光の光学特性を評価するための各種指標を列挙した表であり、（ｂ）は実施の形態１の第１実施例における第２の白色光の光学特性を評価するための各種指標を列挙した表である。
【図８】実施の形態１の第１実施例に係る照明装置から出射される白色光の分光スペクトルを、発光部の光量比率を変えながら測定した結果を示す図である。
【図９】実施の形態１の第１実施例に係る照明装置から出射される白色光の光学特性を評価するための各種指標を列挙した表である。
【図１０】（ａ）は実施の形態１の第１実施例に係る照明装置から出射される白色光における平均演色評価数Ｒａおよび色域面積比Ｇａと発光部の光量比率との関係をグラフ化した図であり、（ｂ）は実施の形態１の第１実施例に係る照明装置から出射される白色光における目立ち指数と発光部の光量比率との関係をグラフ化した図である。
【図１１】（ａ）は実施の形態１の第２実施例に係る照明装置における第１の白色光の分光スペクトルを示す図であり、（ｂ）は実施の形態１の第２実施例に係る照明装置における第２の白色光の分光スペクトルを示す図である。
【図１２】（ａ）は実施の形態１の第２実施例における第１の白色光の光学特性を評価するための各種指標を列挙した表であり、（ｂ）は実施の形態１の第２実施例における第２の白色光の光学特性を評価するための各種指標を列挙した表である。
【図１３】実施の形態１の第２実施例に係る照明装置から出射される白色光の分光スペクトルを、発光部の光量比率を変えながら測定した結果を示す図である。
【図１４】実施の形態１の第２実施例に係る照明装置から出射される白色光の光学特性を評価するための各種指標を列挙した表である。
【図１５】（ａ）は実施の形態１の第２実施例に係る照明装置から出射される白色光における平均演色評価数Ｒａおよび色域面積比Ｇａと発光部の光量比率との関係をグラフ化した図であり、（ｂ）は実施の形態１の第２実施例に係る照明装置から出射される白色光における目立ち指数と発光部の光量比率との関係をグラフ化した図である。
【図１６】（ａ）は実施の形態２に係る発光装置の平面図であり、（ｂ）は（ａ）のＡ２部の拡大図である。
【図１７】実施の形態３に係るランプユニットの斜視図である。
【図１８】実施の形態３に係るランプユニットの分解斜視図である。
【図１９】実施の形態４に係る照明装置の断面図である。
【図２０】（ａ）は変形例に係る発光装置の平面図であり、（ｂ）は変形例に係る発光装置の平面図である。
【図２１】（ａ）は変形例に係る発光装置の平面図であり、（ｂ）は変形例に係る発光装置の平面図であり、（ｃ）は変形例に係る発光装置の平面図である。
【図２２】（ａ）は変形例に係る発光装置の平面図であり、（ｂ）は変形例に係る発光装置の平面図である。
【図２３】変形例に係る発光装置の平面図である。
【発明を実施するための形態】
【００１２】
＜実施の形態１＞
＜１＞構成
＜１−１＞全体構成
本実施の形態に係る照明装置１の分解斜視図を図１に示す。
【００１３】
照明装置１は、第１の白色光を出射する第１発光部と第２の白色光を出射する第２発光部とを含むランプ２１と、ランプ２１の第１発光部の光量と第２発光部の光量の比率を制御する光量比率制御部とを少なくとも備える。
【００１４】
照明装置１は、上記のランプ２１や光量比率制御部以外に、筐体１１と、筐体１１に取着された電子式安定器１４および端子台１３と、カバー板１５と、セード５１とを備える。この照明装置１は、例えば、天井面に設置されるベースライトとして使用される。
【００１５】
なお、ここでは、ランプ２１は、本発明の発光装置に相当し、照明用光源として利用される。また、光量比率制御部は、光量比率制御回路１４ｅとして電子安定器１４に含まれている。
【００１６】
＜筐体＞
筐体１１は、例えば、長尺箱状に形成されており、照明対象物側が開放されてなる開口部１１ａを有する。具体的には、筐体１１は、細長の矩形板状の天板１１ｂと、天板１１ｂの４辺に連続する周壁１１ｃとを備える。この筐体１１は、アルミニウム等の金属材料から形成されている。ここにおいて、周壁１１ｃの内面１１ｄがランプ２１から出射される光を反射する反射面を構成している。また、天板１１ｂの長手方向の一端部下面には、給電側ソケット台１６ａを介して一対の給電側ソケット１６ｂが取着されており、天板１１ｂの長手方向の他端部下面には、接地側ソケット台１７ａを介して一対の接地側ソケット１７ｂが取着されている。
【００１７】
なお、本例では、ランプ２１の口金３４，３５の端子に合わせて各ソケット１６ｂ，１７ｂが一対設けられている。
【００１８】
＜ランプ＞
ランプ２１について、分解斜視図を図２（ａ）に示し、要部平面図を図２（ｂ）に示し、図２（ｂ）における一点鎖線Ａ１で囲まれた部分の拡大図を図２（ｃ）に示す。
【００１９】
ランプ２１は、第１発光部３１２Ａを備える第１発光モジュール３１Ａと、第２発光部３１２Ｂを備える第２発光モジュール３１Ｂとを備える。以下、第１発光部３１２Ａと第２発光部３１２Ｂは、両者を区別する必要がない場合は、単に、「発光部３１２Ａ，３１２Ｂ」として説明し、第１発光モジュール３１Ａと第２発光モジュール３１Ｂについても、両者を区別する必要がない場合は、単に、「発光モジュール３１Ａ，３１Ｂ」として説明する。
【００２０】
ランプ２１は、例えば、長尺状をしている。ランプ２１は、長手方向の一端部に取着された口金３４が給電側ソケット１６ｂに固定され、他端部に取着された口金３５が接地側ソケット１７ｂに固定されることで、筐体１１に取付けられている。
【００２１】
図２（ａ）に示すように、ランプ２１は、口金３４，３５の他に、２つの長尺の発光モジュール３１Ａ，３１Ｂと、発光モジュール３１Ａ，３１Ｂが取着され発光モジュール３１Ａ，３１Ｂで発生した熱を放熱する長尺の伝熱板３２と、伝熱板３２における発光モジュール３１Ａ，３１Ｂが取着される側を覆うカバー３３とを備える。ここで、伝熱板３２、カバー３３および口金３４，３５から、発光モジュール３１Ａ，３１Ｂを収納する長尺の外囲器が構成される。
【００２２】
伝熱板３２は、アルミニウム等の金属やセラミックスや熱伝導性樹脂等の熱伝導率の高い材料から形成されている。カバー３３は、例えば、透光性を有するアクリル樹脂等の樹脂材料やガラス等から形成されている。口金３４には、ランプ２１を給電側ソケット１６ｂに固定するとともに発光モジュール３１Ａ，３１Ｂに電力を供給するための２対の口金ピン３４ａが突出している。また、口金３５には、ランプ２１を接地側ソケット１７ｂに固定するための固定用ピン３５ａが突出している。
【００２３】
図２（ｂ）に示すように、発光モジュール３１Ａ，３１Ｂは、それぞれ発光部３１２Ａ，３１２Ｂを有する。そして、ランプ２１から出射される白色光、即ち、照明装置１から出射される白色光は、第１発光モジュール３１Ａの第１発光部３１２Ａから出射される第１の白色光と、第２発光モジュール３１Ｂの第２発光部３１２Ｂから出射される第２の白色光とが混合されたものとなる。
【００２４】
なお、第１発光部３１２Ａの光量が０％に制御された場合には、照明装置１から出射される光は第２の白色光となり、第２発光部３１２Ｂの光量が０％に制御された場合には、照明装置１から出射される光は第１の白色光となる。
【００２５】
ここで、第１の白色光と第２の白色光とは、色温度が同じ範囲内にあるが、互いに演色性および彩度が異なっている。この発光モジュール３１Ａ，３１Ｂの詳細については後述する。
【００２６】
＜電子式安定器、端子台＞
図１に示すように、端子台１３および電子式安定器１４は、天板１１ｂの長手方向における略中央部に取着されている。電子式安定器１４は、外部電源（図示省略）から電源線Ｌ１および端子台１３を介して供給される電力を変換し給電側ソケット台１６ａおよび給電側ソケット１６ｂを介してランプ２１に供給する。また、電子式安定器１４には、ユーザが、第１発光モジュール３１Ａの第１発光部３１２Ａの光量と第２発光モジュール３１Ｂの第２発光部３１２Ｂの光量との比率を変化させる際に操作するコントローラ６１が信号線６２を介して接続されている。この電子式安定器１４を含む照明装置１の回路構成の詳細については後述する。
【００２７】
＜カバー板＞
カバー板１５は、板材を横断面略Ｃ字状に折曲して形成されている。このカバー板１５は、端子台１３および電子式安定器１４を天板１１ｂの下面側から覆う（カバーする）ように天板１１ｂにねじ止め等により取着される。このカバー板１５は、アルミニウム等の金属材料から形成されている。
【００２８】
＜セード＞
セード５１は、矩形枠状の枠体５１ａと、透光性材料から矩形板状に形成され且つ枠体５１ａの内側に嵌め込まれた窓部材５１ｂとを備える。枠体５１ａは、アルミニウム等の金属材料から形成されている。窓部材５１ｂは、光を散乱する光散乱機能を有する。窓部材５１ｂとして、例えば、ポリカーボネート等の樹脂材料、ガラス、セラミック等の透光性材料で形成された基体部分に、チタニア、シリカ、アルミナ、酸化亜鉛等の透光性材料で形成された粒子部分が分散されてなるものがある。
【００２９】
＜１−２＞回路構成
本実施の形態に係る照明装置の回路図を図３に示す。
【００３０】
発光モジュール３１Ａ，３１Ｂそれぞれが有する発光部３１２Ａ，３１２Ｂは、互いに複数のＬＥＤを有する。各発光部３１２Ａ，３１２Ｂの複数のＬＥＤは、例えば、所定の接続状態、ここでは、直並列に接続されている。
【００３１】
電子式安定器１４は、電源回路１４ｆと、光量比率制御回路１４ｅとを備える。
【００３２】
電源回路１４ｆは、第１発光部３１２Ａおよび第２発光部３１２Ｂそれぞれに各別に電流供給を行う。この電源回路１４ｆは、整流回路１４ａと、ＰＦＣ（Ｐｏｗｅｒ  Ｆａｃｔｏｒ  Ｃｏｒｒｅｃｔｉｏｎ）回路１４ｂと、２つの定電流回路１４ｃ，１４ｄとを備える。
【００３３】
整流回路１４ａは、外部電源ＡＣから電源線Ｌ１を介して供給される交流を整流して直流に変換する。整流回路１４ａは、例えば、ダイオードブリッジから構成されるものであってもよい。
【００３４】
ＰＦＣ回路１４ｂは、入力力率を改善するための回路である。ＰＦＣ回路１４ｂは、例えば、周知の昇圧チョッパ回路から構成されるものであってもよい。
【００３５】
定電流回路１４ｃ，１４ｄは、ＰＦＣ回路１４ｂからの電力供給を受けて第１発光モジュール３１Ａの第１発光部３１２Ａおよび第２発光モジュール３１Ｂの第２発光部３１２Ｂそれぞれに一定の電流を供給する。この定電流回路１４ｃ，１４ｄは、周知の降圧チョッパ回路や昇降圧回路等を用いて構成されており、定電流制御がなされる。
【００３６】
また、光量比率制御回路１４ｅは、コントローラ６１から信号線６２を介して入力される信号電圧に基づいて、電源回路１４ｆから第１発光部３１２Ａに供給する電流の大きさと、電源回路１４ｆから第２発光部３１２Ｂに供給する電流の大きさの比率を変化させる。これにより第１発光部３１２Ａの光量と第２発光部３１２Ｂの光量との比率が変化する。具体的には、光量比率制御回路１４ｅは、各定電流回路１４ｃ，１４ｄに入力するＰＷＭ信号のオンデューティを個別に変化させることにより、各定電流回路１４ｃ，１４ｄから第１発光部３１２Ａおよび第２発光部３１２Ｂに供給する電流の大きさを変化させる。
【００３７】
＜１−３＞発光モジュールの構成
図２（ｂ）に示すように、第１発光モジュール３１Ａは、第１発光部３１２Ａの他に、基板３１０と、配線３４０とを備える。そして、図２（ｃ）に示すように、第１発光部３１２Ａは、複数のＬＥＤ３２０と第１波長変換部材３３０Ａとから構成される。
【００３８】
第２発光モジュール３１Ｂは、図２（ｂ）に示すように、第２発光部３１２Ｂの他に、基板３１０と、配線３４０とを備える。第２発光部３１２Ｂは、複数のＬＥＤ３２０と第２波長変換部材３３０Ｂとから構成される（図示省略）。
【００３９】
なお、第１波長変換部材３３０Ａと第２波長変換部材３３０Ｂは、両者を区別する必要がない場合は、単に、「波長変換部材３３０Ａ，３３０Ｂ」として説明する。
【００４０】
基板３１０は、長尺の矩形板状に形成されている。基板３１０は、第１発光モジュール３１Ａと第２発光モジュールＢとで共有される。この基板３１０は、アルミニウム等の金属からなる板材と、白色のポリカーボネート樹脂等からなり板材の表面全体に形成された絶縁膜とから構成される。基板３１０の両端部それぞれには、配線３４０に電気的に接続された受電端子３１４，３１６が配設されている。そして、受電端子３１４からは、口金３４の口金ピン３４ａそれぞれに電気的に接続される一対のリード線３１８が導出している。
【００４１】
各ＬＥＤ３２０は、例えば、青色発光するＧａＮ系のＬＥＤである。そして、ＬＥＤ３２０は、基板３１０上に例えば一列に配設されている。ここで、各ＬＥＤ３２０は、電極（図示せず）のある面を基板３１０に当接する側とは反対側にして（いわゆるフェイスアップの状態で）基板３１０に実装されている。
【００４２】
また、ＬＥＤ３２０は、ＬＥＤ３２０の列方向の両側に位置する配線３４０の一部にワイヤ３９５を介して電気的に接続されている。このワイヤ３９５は、例えば、金から形成されるものであり、周知のワイヤボンディング法により配線３４０の一部とＬＥＤ３２０の電極とに接合される。
【００４３】
配線パターン３４０は、基板３１０上に、基板３１０の長手方向に沿うように形成されている。この配線パターン３４０は、ＡｇやＣｕ等の金属材料から形成されている。
【００４４】
波長変換部材３３０Ａ，３３０Ｂは、ＬＥＤ３２０と配線３４０の一部とを覆うように、基板３１０の長手方向に沿って配置されている。
【００４５】
これにより、第１発光部３１２Ａでは、各ＬＥＤ３２０から出射される青色光のうち、波長変換部材３３０Ａにより波長変換されて出射される光と、波長変換部材３３０Ａにより波長変換されずにそのまま出射される光とが混合することにより第１の白色光が得られる。
【００４６】
また、第２発光部３１２Ｂでは、各ＬＥＤ３２０から出射される青色光のうち、波長変換部材３３０Ｂにより波長変換されて出射される光と、波長変換部材３３０Ｂにより波長変換されずにそのまま出射される光とが混合することにより第２の白色光が得られる。
【００４７】
前述したように、第１発光部３１２Ａから出射される第１の白色光と第２発光部３１２Ｂから出射される第２の白色光とでは、色温度が同じ範囲内であるが、演色性および彩度は互いに異なり、第１の白色光は第２の白色光に比べて彩度が高く且つ演色性が低い。
【００４８】
これは、第１の発光部３１２Ａと第２の発光部３１２Ｂとで、波長変換部材３３０Ａ，３３０Ｂの一部を構成する蛍光体の組み合わせが互いに異なっているからである。
【００４９】
前述の「色温度が同じ範囲内」とは、ＣＩＥ（Ｃｏｍｍｉｓｓｉｏｎ  Ｉｎｔｅｒｎａｔｉｏｎａｌ  ｄｅ  Ｉ’Ｅｃｌａｉｒａｇｅ）ｘｙ色度図において、第１の白色光の色度および第２の白色光の色度の両方が、同一の等色温度認識領域内に存在することを意味する。そして、「等色温度認識領域」とは、人間の視覚が同じ色温度であると認識できる温度領域に相当する。
【００５０】
この等色温度認識領域の周縁形状（領域内外を規定する境界線の形状）は、当該等色温度認識領域の中心色度に対応するMａｃＡｄａｍの楕円の長軸および短軸の長さそれぞれの長さを３倍してなる楕円形状である。この楕円形状の等色温度認識領域は、３ｓｔｅｐ領域ともいう。以下、MａｃＡｄａｍの楕円について説明する。
【００５１】
図４に、ｘｙ色度図におけるMａｃＡｄａｍの楕円の一例を示す。この「MａｃＡｄａｍの楕円」とは、MａｃＡｄａｍがｘｙ色度図上の任意の色度を中心色度とした加法混色による等色実験により求めた楕円である（特開２０１０−８０１４５号公報参照）。図４では、２５点の中心色度に対応するMａｃＡｄａｍの楕円のみ示している。このMａｃＡｄａｍの楕円は、他の任意の中心色度についても算出することができる。図４に示すように、MａｃＡｄａｍの楕円の大きさは、中心色度によって異なり、中心色度のｘｙ座標が大きくなるほど大きくなる傾向にある。つまり、白色光の中心色度のｘｙ座標が大きくなるほど、人間の視覚が色温度の違いを認識しにくくなる。
【００５２】
ところで、ｘｙ色度図における人間の視覚が色温度の違いを認識する境界は、MａｃＡｄａｍの楕円について長軸および短軸を３倍して得られる楕円であると一般的に言われている。そこで、本実施の形態では、上記等色温度認識領域として、MａｃＡｄａｍの楕円の長軸および短軸の長さそれぞれの長さを３倍してなる楕円の内側の領域内としている。
【００５３】
波長変換部材３３０Ａ，３３０Ｂは、いずれも透光性基材に蛍光体等が分散されてなる。そして、波長変換部材３３０Ａ，３３０Ｂは、発光部３１２Ａ，３１２Ｂから出射する白色光に求められる色温度や演色性、彩度に応じて蛍光体等の種類が選択される。
【００５４】
以下、本実施の形態に係る照明装置１について、第１の白色光および第２の白色光が、２７００Ｋ付近である実施例（以下、「第１実施例」と称する。）と、５０００Ｋ付近である実施例（以下、「第２実施例」と称する。）を取り上げて説明する。
【００５５】
図５は、第１の白色光および第２の白色光に対応する等色温度認識領域を示し、（ａ）は第１実施例に対応する図であり、（ｂ）は第２実施例に対応する図である。
【００５６】
図５（ａ）および（ｂ）が示すように、第１実施例に対応する等色温度認識領域は、第２実施例に対応する等色温度認識領域に比べて若干面積が大きい。つまり、第１実施例のほうが、第２実施例に比べて、実際の色温度の変化を感じにくい。
【００５７】
［第１実施例］
本実施例は、第１の白色光および第２の白色光が、２７００Ｋ付近となるように設定されている。
【００５８】
波長変換部材３３０Ａは、透光性基材に黄色蛍光体および赤色蛍光体、ネオジム化合物である酸化ネオジムが分散されてなる。また、波長変換部材３３０Ｂは、透光性基材に緑色蛍光体および赤色蛍光体が分散されてなる。
【００５９】
ここで、透光性基材は、透光性の樹脂材料や透光性を有するガラス、セラミックスから形成されている。また、透光性の樹脂材料としては、シリコーン樹脂、フッ素樹脂、シリコーン・エポキシのハイブリッド樹脂、ユリア樹脂などが用いられる。
【００６０】
黄色蛍光体として、（Ｙ，Ｇｄ）3Ａｌ5Ｏ12：Ｃｅ3+を採用している。なお、黄色蛍光体としては、他に、（Ｓｒ，Ｂａ）2ＳｉＯ4：Ｅｕ2+、（Ｃａ，Ｓｒ，Ｂａ）ＡｌＳｉＮ3：Ｅｕ2+、Ｂａ3Ｓｉ6Ｏ12Ｎ2:Ｅｕ2+、Ｙ3Ａｌ5Ｏ12：Ｃｅ3+，Ｐｒ3+、（Ｔｂ，Ｇｄ）3Ａｌ5Ｏ12：Ｃｅ3+、（Ｓｒ，Ｃａ）2ＳｉＯ4：Ｅｕ2+、ＣａＳｉ2Ｏ2Ｎ2：Ｅｕ2+、Ｃａ−α−ＳｉＡｌＯＮ：Ｅｕ2+、Ｙ2Ｓｉ4Ｎ6Ｃ：Ｃｅ3+、ＣａＧａ2Ｓ4：Ｅｕ2+を採用してもよい。
【００６１】
緑色蛍光体として、（Ｌｉ，Ｎａ，Ｋ，Ａｇ）Ｔｂｘ（Ｙ、その他Ｔｂを除く希土類元素）ｎ（１−ｘ）（Ｍｏ，Ｗ）2Ｏ8（０．４≦ｘ≦１）を採用している。なお、緑色蛍光体として、他に、Ｙ3Ａｌ5Ｏ12：Ｃｅ3+、Ｔｂ3Ａｌ5Ｏ12：Ｃｅ3+、ＢａＹ2ＳｉＡｌ4Ｏ12：Ｃｅ3+、Ｃａ3Ｓｃ2Ｓｉ3Ｏ12：Ｃｅ3+、（Ｂａ，Ｓｒ）2ＳｉＯ4：Ｅｕ2+、ＣａＳｃ2Ｏ4：Ｃｅ3+、Ｂａ3Ｓｉ6Ｏ12Ｎ2：Ｅｕ2+、β−ＳｉＡｌＯＮ：Ｅｕ2+、ＳｒＧａ2Ｓ4：Ｅｕ2+を採用してもよい。
【００６２】
赤色蛍光体として、Ｃａ−α−ＳｉＡｌＯＮ：Ｅｕ2+を採用している。なお、赤色蛍光体として、他に、ＣａＡｌＳｉＮ3：Ｅｕ2+、（Ｓｒ，Ｃａ）ＡｌＳｉＮ3：Ｅｕ2+、Ｓｒ2Ｓｉ5Ｎ8：Ｅｕ2+、Ｓｒ2（Ｓｉ，Ａｌ）5（Ｎ，Ｏ）8：Ｅｕ2+、ＣａＳ：Ｅｕ2+、Ｌａ2Ｏ2Ｓ：Ｅｕ3+を採用してもよい。
【００６３】
本実施例に係る発光モジュール３１Ａ，３１Ｂについて、図６（ａ）は、第１の白色光の分光スペクトルを示す図であり、図６（ｂ）は、第２の白色光の分光スペクトルを示す図である。
【００６４】
図６（ａ）および（ｂ）に示すように、第１、第２の白色光の分光スペクトルは各々異なっている。特に、第１の白色光は、第２の白色光に比べて、５５０ｎｍ乃至６２０ｎｍの波長域のスペクトル強度が低減されている。これは、波長変換部材３３０Ａのみが、酸化ネオジムを含有していることに起因する。
【００６５】
次に、第１、第２の白色光それぞれについて、演色性および彩度を評価した結果について説明する。
【００６６】
図７（ａ）は、第１の白色光の光学特性を評価するための各種指標を列挙した表であり、図７（ｂ）は、第２の白色光の光学特性を評価するための各種指標を列挙した表である。各種指標としては、第１、第２の白色光の色温度Ｔｃ、色座標（ｘ，ｙ，ｕ，ｖ）、演色評価数Ｒ１乃至Ｒ８、特殊演色評価数Ｒ９乃至Ｒ１５、平均演色評価数Ｒａ、色域面積比Ｇａ，Ｇａ４、目立ち指数ＦＣＩを採用した。
【００６７】
ここで、各種指標の特徴について説明する。
【００６８】
演色評価数Ｒ１乃至Ｒ８および平均演色評価数Ｒａは、ＪＩＳ  Ｚ８７２６に規定された試験色番号１乃至８の試験色（中彩度の試験色）に基づいて算出されるものである。演色評価数Ｒ１からＲ８は、いわゆる中彩度の照明対象物の色の見え方の忠実性を評価する場合に選定されるものである。
【００６９】
特殊演色評価数Ｒ９乃至Ｒ１２は、ＪＩＳ  Ｚ８７２６に規定された試験色番号９乃至１２の試験色（高彩度の試験色。具体的には、鮮やかな赤色、黄色、緑色、青色）に基づいて算出されるものである。この特殊演色評価数Ｒ９乃至Ｒ１２は、色鮮やかな照明対象物の色の見えの忠実性を評価する場合に選定されるものである。また、特殊演色評価数Ｒ１３，Ｒ１４，Ｒ１５は、ＪＩＳ  Ｚ８７２６に規定された試験色番号１３乃至１５の試験色（西洋人の肌の色、木の葉の色、日本人の肌の色）に基づいて算出されるものである。この特殊演色評価数Ｒ１３，Ｒ１４，Ｒ１５は、一般的な西洋人の肌の色や木の葉の色、日本人の肌の色の見えを評価する場合に選定されるものである。
【００７０】
これら演色評価数Ｒ１乃至Ｒ１５並びに平均演色評価数Ｒａが大きいほど演色性が高いことになる。
【００７１】
色域面積比Ｇａは、ＪＩＳ  Ｚ８７２６の参考欄に「演色評価数による以外の演色性の評価方法」として記載されたものである。具体的には、試験色番号１乃至８の８つの試験色に対して基準光による色度座標と試料光源による色度座標とを求め、これらをＵ*Ｖ*平面上にプロットして得られる８角形の面積を求める。そして、試料光源に対応する８角形の面積と、基準光に対応する８角形の面積との比を１００倍して得られる値が、色域面積比Ｇａである。この色域面積比Ｇａが小さいときには、彩度が減じる方向にあり、色がくすんで見える傾向にある。一方、色面積比Ｇａが１００に近づくほど、彩度が増加する方向にあり、色が鮮やかに見える傾向にある。
【００７２】
目立ち指数ＦＣＩは、照明対象物の色の目立ち感を評価する指標である（特開平６−１８０２４８号公報参照）。この目立ち指数ＦＣＩは、前述の特殊演色評価数を算出する際に用いられる試験色番号９乃至１２の試験色それぞれに近似した４色から構成された４色配色サンプルに基づいて算出される。この４色配色サンプルの色域面積と目立ち指数ＦＣＩとの間には式（１）で表される関係式が成立する。
【００７３】
【数１】
0005870312.tif 000002
【００７４】
ここで、Ｇ（Ｓ，１０００（ｌｘ））は、目立ち指数ＦＣＩの評価対象である光源により４色配色サンプルを照度１０００（ｌｘ）で照明した場合の４色配色サンプルの色域面積を示し、Ｇ（Ｄ６５，１０００（ｌｘ））は、基準光源により４色配色サンプルを照度１０００（ｌｘ）で照明した場合の４色配色サンプルの色域面積を示す。この目立ち指数ＦＣＩが高い光源ほど、生花や木の葉の緑などの照明対象物の色を目立たせることができる。
【００７５】
色域面積比Ｇａ４は、試験色番号９乃至１２に対応する特殊演色評価数Ｒ９乃至Ｒ１２を用いて算出された色域面積比である。具体的には、特殊演色評価数Ｒ９乃至Ｒ１２を用いて、前述の色面積比Ｇａの算出に用いた計算手法と同じ計算手法で得られる。この色域面積比Ｇａ４を指標とすることにより鮮やかに見せたい照明対象物が鮮やかに見えているかということを正確に評価することができる。
【００７６】
以上をまとめると、演色評価数Ｒ１乃至Ｒ８、特殊演色評価数Ｒ９乃至Ｒ１５、平均演色評価数Ｒａが、光の演色性を評価する指標であり、色域面積比Ｇａ，Ｇａ４、目立ち指数ＦＣＩが、彩度を評価する指標であると言える。そして、「第１の白色光が第２の白色光に比べて演色性が低い」とは、第１の白色光の演色評価数Ｒ１乃至Ｒ８、特殊演色評価数Ｒ９乃至Ｒ１５、平均演色評価数Ｒａが第２の白色光のそれらに比べて軒並み低いこと意味する。また、「第１の白色光が第２の白色光に比べて彩度が高い」とは、第１の白色光の色域面積比Ｇａ，Ｇａ４、目立ち指数ＦＣＩが第２の白色光のそれらに比べて軒並み高いことを意味する。これを踏まえて、第１、第２の白色光の光学特性について説明する。
【００７７】
図７（ａ）および（ｂ）の表に示すように、第１の白色光の色温度が２６９１Ｋであり、第２の白色光の色温度が２６９０Ｋである。また、第１の白色光は、第２の白色光に比べて、Ｒ１乃至Ｒ１５、Ｒａ（１〜８）が小さいが、Ｇａ、ＦＣＩ、Ｇａ４が大きい。前述のように、Ｒ１乃至Ｒ１５、Ｒａ（１〜８）が小さいほど演色性が低く、Ｇａ、ＦＣＩ、Ｇａ４が大きいほど採度が高い。つまり、第１、第２の白色光は、色温度が同じであるが、第１の白色光は、第２の白色光に比べて演色性が低く且つ彩度が高い。これは、図６を用いて説明したように、第１の白色光は、第２の白色光に比べて、５５０ｎｍ乃至６２０ｎｍの波長域のスペクトル強度が低減されていることによる。
【００７８】
ところで、波長変換部材３３０Ａが黄色蛍光体を用いた構成である場合、当該波長変換部材３３０Ａから出射される光は、５５０ｎｍ乃至６２０ｎｍのスペクトル強度が大きい光となる。一方、第１の白色光の彩度を向上させようとした場合、５５０ｎｍ乃至６２０ｎｍのスペクトル強度だけを選択的に低下させる必要がある。そこで、本実施の形態では、波長変換部材３３０Ａに５５０ｎｍ乃至６２０ｎｍの波長帯の光を吸収する酸化ネオジムを含有させることにより、当該波長帯のスペクトル強度だけを選択的に低下させている。
【００７９】
次に、本実施例に係る照明装置１の光学的特性について説明する。
【００８０】
図８は、本実施例に係る照明装置１から出射される白色光の分光スペクトルを、第１発光部３１２Ａの光量（第１の白色光の光量）と第２発光部３１２Ｂの光量（第２の白色光の光量）との比率を変えながら測定した結果を示す図である。なお、図８の右上に表示した「％」は、照明装置１から出力される全光量に占める、第２の白色光の割合を示している。例えば、第２の白色光の割合が「０％」であれば、第１発光部３１２Ａのみが点灯していることとなり、「１００％」であれば、第２発光部３１２Ｂのみが点灯していることになる。また、「５０％」であれば、発光部３１２Ａ，３１２Ｂの光量（第１、第２の白色光の光量）が互いに等しい。
【００８１】
ここにおいて、ユーザがコントローラ６１を操作して各定電流回路１４ｃ，１４ｄから発光部３１２Ａ，３１２Ｂに供給する電流の大きさを変化させることにより、第１発光部３１２Ａの光量と第２発光部３１２Ｂの光量との比率を変化させることができる。
【００８２】
図８に示すように、第１発光部３１２Ａの光量（第１の白色光の光量）と第２発光部３１２Ｂの光量（第２の白色光の光量）との比率に応じて、照明装置１から出射される白色光の分光スペクトルの形状が連続的に変化している。
【００８３】
図９は、本実施例に係る照明装置１から出射される白色光の光学特性を評価するための各種指標を列挙した表である。また、図１０は、本実施例に係る照明装置１から出射される白色光について、（ａ）は平均演色評価数Ｒａおよび色域面積比Ｇａと発光部３１２Ａ，３１２Ｂの光量比率との関係をグラフ化した図であり、（ｂ）は目立ち指数ＦＣＩと発光部３１２Ａ，３１２Ｂの光量比率との関係をグラフ化した図である。
【００８４】
照明装置１から出射される白色光の色度座標ｘ，ｙのそれぞれは、図９に示すように、ＣＩＥｘｙ色度図において、第２の白色光の割合（発光部３１２Ａ，３１２Ｂの光量の比率）に関わらず、近い値を示しており、単一のMａｃＡｄａｍの楕円内に存在する（図５（ａ）参照）。つまり、照明装置１から出射される白色光は、第２の白色光の割合に関わらず、色温度Ｔｃは略一定であり、同一の等色温度認識領域内に存在する。
【００８５】
照明装置１から出射される白色光の演色性の指標となる、演色評価数Ｒ１乃至Ｒ８、特殊演色評価数Ｒ９乃至Ｒ１５および平均演色評価数Ｒａは、第２の白色光の割合（第１発光モジュール３１Ｂの光量）が増加するにつれて漸増している。
【００８６】
一方、照明装置１から出射される白色光の彩度の指標となる、色域面積比Ｇａ，Ｇａ４および目立ち指数ＦＣＩは、第２の白色光の割合（第２発光モジュール３１Ｂの光量）が増加するにつれて、即ち、第１の白色光の割合（第１発光モジュール３１Ａの光量）が減少するにつれて漸減している。
【００８７】
［第２実施例］
本実施例は、第１の白色光および第２の白色光が、５０００Ｋ付近となるように設定されている。
【００８８】
波長変換部材３３０Ａは、透光性基材に緑色蛍光体、赤色蛍光体およびネオジム化合物である酸化ネオジムが分散されてなる。また、波長変換部材３３０Ｂは、透光性基材に緑色蛍光体および赤色蛍光体が分散されている。
【００８９】
ここで、透光性基材は、透光性の樹脂材料や透光性を有するガラス、セラミックスから形成されている。また、透光性の樹脂材料としては、シリコーン樹脂、フッ素樹脂、シリコーン・エポキシのハイブリッド樹脂、ユリア樹脂などが用いられる。
【００９０】
緑色蛍光体として、（Ｌｉ，Ｎａ，Ｋ，Ａｇ）Ｔｂｘ（Ｙ、その他Ｔｂを除く希土類元素）ｎ（１−ｘ）（Ｍｏ，Ｗ）2Ｏ8（０．４≦ｘ≦１）を採用している。なお、緑色蛍光体として、他に、Ｙ3Ａｌ5Ｏ12：Ｃｅ3+、Ｔｂ3Ａｌ5Ｏ12：Ｃｅ3+、ＢａＹ2ＳｉＡｌ4Ｏ12：Ｃｅ3+、Ｃａ3Ｓｃ2Ｓｉ3Ｏ12：Ｃｅ3+、（Ｂａ，Ｓｒ）2ＳｉＯ4：Ｅｕ2+、ＣａＳｃ2Ｏ4：Ｃｅ3+、Ｂａ3Ｓｉ6Ｏ12Ｎ2：Ｅｕ2+、β−ＳｉＡｌＯＮ：Ｅｕ2+、ＳｒＧａ2Ｓ4：Ｅｕ2+を採用してもよい。
【００９１】
特に、波長変換部材３３０Ａの緑色蛍光体として、例えば、Ｅｕ2+を含む蛍光体、つまり、Ｅｕ2+を発光中心とした蛍光体を用いると、緑色の発光ピークの半値幅を小さくすることができる。より具体的には、Ｂａ3Ｓｉ6Ｏ12Ｎ2：Ｅｕ2やβ−ＳｉＡｌＯＮ：Ｅｕ2+などの場合、発光ピークの半値幅を５５ｎｍ乃至７０ｎｍ程度と小さくすることができる。これにより、酸化ネオジムにより吸収される波長域が少なくなり、白色光の彩度の低下を抑制することができる。
【００９２】
このようなＥｕ2+を含む緑色蛍光体として、（Ｂａ，Ｓｒ）2ＳｉＯ4：Ｅｕ2+で代表されるシリケート系の蛍光体があり、（Ｂａ，Ｓｒ）の組成を変更することで、容易にピーク位置を変更することができ、高彩度の白色光を得るために有用である。
【００９３】
赤色蛍光体として、Ｃａ−α−ＳｉＡｌＯＮ：Ｅｕ2+を採用している。なお、赤色蛍光体として、他に、ＣａＡｌＳｉＮ3：Ｅｕ2+、（Ｓｒ，Ｃａ）ＡｌＳｉＮ3：Ｅｕ2+、Ｓｒ2Ｓｉ5Ｎ8：Ｅｕ2+、Ｓｒ2（Ｓｉ，Ａｌ）5（Ｎ，Ｏ）8：Ｅｕ2+、ＣａＳ：Ｅｕ2+、Ｌａ2Ｏ2Ｓ：Ｅｕ3+を採用してもよい。
【００９４】
本実施例に係る発光モジュール３１Ａ，３１Ｂについて、図１１（ａ）は、第１の白色光の分光スペクトルを示す図であり、図１１（ｂ）は、第２の白色光の分光スペクトルを示す図である。
【００９５】
図１１（ａ）および（ｂ）に示すように、第１、第２の白色光の分光スペクトルは各々異なっている。特に、第１の白色光は、第２の白色光に比べて、５５０ｎｍ乃至６２０ｎｍの波長域のスペクトル強度が低い。これは、波長変換部材３３０Ａのみが、酸化ネオジムを含有していることに起因する。
【００９６】
次に、第１、第２の白色光それぞれについて、演色性および彩度を評価した結果について説明する。
【００９７】
図１２（ａ）は、第１の白色光の光学特性を評価するための各種指標を列挙した表であり、図１２（ｂ）は、第２の白色光の光学特性を評価するための各種指標を列挙した表である。各種指標は、図７（ａ）および（ｂ）や図９の表で用いたものと同じである。
【００９８】
図１２（ａ）および（ｂ）の表に示すように、第１の白色光の色温度が４９９３Ｋであり、第２の白色光の色温度が４９６１Ｋである。また、第１の白色光は、第２の白色光に比べて、Ｒ１乃至Ｒ１５、Ｒａ（１〜８）が小さいが、Ｇａ、ＦＣＩ、Ｇａ４が大きい。前述のように、Ｒ１乃至Ｒ１５、Ｒａ（１〜８）が小さいほど演色性が低く、Ｇａ、ＦＣＩ、Ｇａ４が大きいほど採度が高い。つまり、第１、第２の白色光は、色温度が同じであるが、第１の白色光は、第２の白色光に比べて演色性が低く且つ彩度が高い。
【００９９】
次に、本実施例に係る照明装置１の光学的特性について説明する。
【０１００】
図１３は、本実施例に係る照明装置１から出射される白色光の分光スペクトルを、第１発光部３１２Ａの光量（第１の白色光の光量）と第２発光部３１２Ｂの光量（第２の白色光の光量）との比率を変えながら測定した結果を示す図である。なお、図１３の右上に表示した「％」は、照明装置１から出力される全光量に占める、第２の白色光の割合を示している。例えば、第２の白色光の割合が「０％」であれば、第１発光部３１２Ａのみが点灯していることとなり、「１００％」であれば、第２発光部３１２Ｂのみが点灯していることになる。また、「５０％」であれば、発光部３１２Ａ，３１２Ｂの光量（第１、第２の白色光の光量）が互いに等しい。
【０１０１】
図１３に示すように、第１発光部３１２Ａの光量（第１の白色光の光量）と第２発光部３１２Ｂの光量（第２の白色光の光量）との比率に応じて、照明装置１から出射される白色光の分光スペクトルの形状が連続的に変化している。
【０１０２】
図１４は、本実施例に係る照明装置１から出射される白色光の光学特性を評価するための各種指標を列挙した表である。また、図１５は、本実施例に係る照明装置１から出射される白色光について、（ａ）は平均演色評価数Ｒａおよび色域面積比Ｇａと発光部３１２Ａ，３１２Ｂの光量比率との関係をグラフ化した図であり、（ｂ）は目立ち指数ＦＣＩと発光部３１２Ａ，３１２Ｂの光量比率との関係をグラフ化した図である。
【０１０３】
照明装置１から出射される白色光の色度座標ｘ，ｙのそれぞれは、図１４に示すように、ＣＩＥｘｙ色度図において、第２の白色光の割合（第１発光部３１２Ｂの光量）に関わらず、近い値を示しており、単一のMａｃＡｄａｍの楕円内に存在する（図５（ｂ）参照）。つまり、照明装置１から出射される白色光は、第２の白色光の割合に関わらず、色温度Ｔｃは略一定であり、同一の等色温度認識領域内に存在する。
【０１０４】
照明装置１から出射される白色光の演色性の指標となる、演色評価数Ｒ１乃至Ｒ８、特殊演色評価数Ｒ９乃至Ｒ１５および平均演色評価数Ｒａは、第２の白色光の割合（第２発光モジュール３１Ｂの光量）が増加するにつれて漸増している。
【０１０５】
一方、照明装置１から出射される白色光の彩度の指標となる、色域面積比Ｇａ，Ｇａ４および目立ち指数ＦＣＩは、第２の白色光の割合（第２発光モジュール３１Ｂの光量）が増加するにつれて、即ち、第１の白色光の割合（第１発光モジュール３１Ａの光量）が減少するにつれて漸減している。
【０１０６】
以上のように、第１実施例に係る照明装置１および第２実施例に係る照明装置１のいずれもが、発光部３１２Ａ，３１２Ｂの光量の比率を変更することにより照明装置１から出射される白色光の演色性と彩度のバランスを自由に設定することができる。
【０１０７】
＜２＞まとめ
結局、本実施の形態に係る照明装置１は、光量比率制御回路１４ｅにより、第１発光部３１２Ａから出射される第１の白色光の光量と、第２発光部３１２Ｂから出射される第２の白色光の光量との比率を自由に変化させることができる。これにより、色温度を同じ範囲内で維持しながら、照明装置１から出射される白色光の演色性と彩度のバランスを自由に設定することができるので、照明装置１の照明対象物の色の見え方を自由に変えることができる。従って、例えば、同一店舗内を複数のフロアに区切り、フロア毎に種類の異なる商品を扱うような店舗において、照明装置１の付け替え等を行うことなく各商品に適した演色性および彩度を有する光を得ることができるので、フロアの配置替えや各フロアで扱う商品を入れ替え等の作業を簡便に行うことができる。
【０１０８】
＜実施の形態２＞
本実施の形態２に係る発光装置２０１について、平面図を図１６（ａ）に示し、図１６（ａ）における一点鎖線Ａ２で囲んだ部分の拡大図を図１６（ｂ）に示す。
【０１０９】
発光装置２０１は、基板２０１０と、基板２０１０上に並設された複数の第１発光部２０１２Ａと複数の第２発光部２０１２Ｂとを備える。ここで、発光部２０１２Ａ，２０１２Ｂは、共に１１個ずつ配置されている。各発光部２０１２Ａ，２０１２Ｂは、平面視において長さの異なる長尺状をし、複数の発光部２０１２Ａ，２０１２Ｂが、平面視において全体形状が円形状となるように、各発光部２０１２Ａ，２０１２Ｂの短手方向に隣接配置されている。
【０１１０】
発光装置２０１は、例えば、実施の形態１で説明したような電子安定器を利用することで、白色光を出射する。発光装置２０１から出射される白色光は、第１発光部２０１２Ａから出射される第１の白色光と、第２発光部２０１２Ｂから出射される第２の白色光とが混合されたものとなる。
【０１１１】
なお、第１発光部２０１２Ａの光量が０％に制御された場合には、発光装置２０１から出射される光は第２の白色光となり、第２発光部２０１２Ｂの光量が０％に制御された場合には、発光装置２０１から出射される光は第１の白色光となる。ここで、第１の白色光と第２の白色光とは、色温度が同じ範囲内にあるが、互いに演色性および彩度が異なっている。
【０１１２】
基板２０１０は、矩形板状の形状を有する。この基板２０１０は、アルミウム等の金属材料からなる板材と、当該板材の表面に設けられたポリカーボネート等の熱伝導性樹脂やセラミックス等からなる絶縁膜（絶縁部材）とで構成される２層構造である。
【０１１３】
基板２０１０の表面（絶縁層が位置する側の面である。）には、第１発光部２０１２Ａ用の電極パッド２０４０Ａ、配線パターン２０４１Ａ、ランド２０４２Ａが形成されている他、第２発光部２０１２Ｂ用の電極パッド２０４０Ｂ，配線パターン２０４１Ｂ、ランド２０４２Ｂ（図示省略）が形成されている。
【０１１４】
ここでは、複数の発光部２０１２Ａおよび複数の発光部２０１２Ｂのそれぞれは、２つの群に分かれている。このため、各発光部２０１２Ａ，２０１２Ｂ用の電極パット２０４０Ａ，２０４０Ｂは４個ある。
【０１１５】
電極パット２０４０Ａ，２０４０Ｂは、例えば、発光部２０１２Ａ，２０１２Ｂを発光させるための電力を受電するものであり、例えば、発光装置２０１外部の電子安定器と接続される。配線パターン２０４１Ａ，２０４１Ｂは、各発光部２０１２Ａ，２０１２Ｂの電極パッド２０４０Ａ，２０４０Ｂに連続する。ランド２０４２Ａ，２０４０Ｂは、隣り合う２つのＬＥＤ３２０をワイヤ２０９５により接続するためのものである。
【０１１６】
電極パッド２０４０Ａ，２０４０Ｂ、配線パターン２０４１Ａ，２０４１Ｂおよびランド２０４２Ａ，２０４２Ｂは、ＡｇやＣｕ等の金属材料から形成されている。また、ワイヤ２０９５は、Ａｕ等の金属材料から形成されている。なお、基板２０１０は、上記構造には限定されるものではなく、例えば、非導電性材料単体からなる一層構造であってもよいし、２層以上の多層構造でもよい。
【０１１７】
１１個の第１発光部２０１２Ａは、４つの第１発光部２０１２Ａからなる群ＧＲ１と、７つの第１発光部２０１２Ａからなる群ＧＲ２に分かれて配置されている。また、１１個の第２発光部２０１２Ｂも、４つの第２発光部２０１２Ｂからなる群ＧＲ３と、７つの第２発光部２０１２Ｂからなる群ＧＲ４に分かれて配置されている。
【０１１８】
群ＧＲ１，ＧＲ２に属する第１発光部２０２１Ａは、群毎に２個の電極パッド２０４０Ａそれぞれに接続されており、群ＧＲ３，ＧＲ４に属する第２発光部２０２１Ｂは、群毎に２個の電極パッド２０４０Ｂそれぞれに接続されている。
【０１１９】
また、群ＧＲ１と群ＧＲ３とは、第１発光部２０１２Ａと第２発光部２０１２Ｂの長手方向に直交する方向において、基板２０１０の中央部を挟んで隣り合う位置にある。そして、群ＧＲ２は、第１発光部２０１２Ａと第２発光部２０１２Ｂの長手方向に直交する方向において、群ＧＲ３に対して群ＧＲ１側とは反対側で群ＧＲ３と隣り合う位置にある。また、群ＧＲ４は、第１発光部２０１２Ａと第２発光部２０１２Ｂの長手方向に直交する方向において、群ＧＲ１に対して群ＧＲ３側とは反対側で群ＧＲ１と隣り合う位置にある。
【０１２０】
図１６（ｂ）に示すように、第１発光部２０１２Ａは、基板２０１０上に一列に配設された複数のＬＥＤ３２０と、複数のＬＥＤ３２０を一括して封止する第１波長変換部材２０３０Ａとを備える。第２発光部２０１２Ｂも、第１発光部２０１２Ａと同様に、基板２０１０上に一列に配設された複数のＬＥＤ３２０と、複数のＬＥＤ３２０を一括して封止する第２波長変換部材２０３０Ｂとを備える（図示省略）。
【０１２１】
前述したように、第１発光部２０１２Ａから出射される第１の白色光と第２発光部２０１２Ｂから出射される第２の白色光とでは、色温度が同じ範囲内であるが、演色性および彩度は互いに異なり、第１の白色光は第２の白色光に比べて彩度が高く且つ演色性が低い。これは、第１発光部２０１２Ａと第２発光部２０１２Ｂとで、第１波長変換部材２０３０Ａと第２波長変換部材２０３０Ｂの一部を構成する蛍光体の組み合わせが互いに異なっているからである。
【０１２２】
波長変換部材２０３０Ａ，２０３０Ｂは、いずれも透光性基材に蛍光体等が分散されてなる。そして、波長変換部材２０３０Ａ，２０３０Ｂは、発光部２０１２Ａ，２０１２Ｂから出射する白色光に求められる色温度や演色性、彩度に応じて分散する蛍光体等の種類が選択される。
【０１２３】
第１の白色光および第２の白色光が２７００Ｋ付近となるように設定する場合、第１波長変換部材２０３０Ａは、透光性基材に黄色蛍光体および赤色蛍光体、ネオジム化合物である酸化ネオジムが分散されてなる。また、第２波長変換部材２０３０Ｂは、透光性基材に緑色蛍光体および赤色蛍光体が分散されている。
【０１２４】
第１の白色光および第２の白色光が５０００Ｋ付近となるように設定する場合、第１波長変換部材２０３０Ａは、透光性基材にシリケート系の緑色蛍光体、赤色蛍光体およびネオジム化合物である酸化ネオジムが分散されてなる。また、第２波長変換部材２０３０Ｂは、透光性基材に緑色蛍光体および赤色蛍光体が分散されている。
【０１２５】
なお、透光性基材の材料並びに黄色蛍光体、緑色蛍光体および赤色蛍光体の材料は、実施の形態１と同様のものを使用できるので、ここでは説明を省略する。
【０１２６】
＜実施の形態３＞
本実施の形態に係るランプユニット４０１の斜視図を図１７に示し、ランプユニット４０１の分解斜視図を図１８に示す。
【０１２７】
ランプユニット４０１は、実施の形態２で説明した発光装置２０１を光源として内蔵している。また、ランプユニット４０１は、発光装置２０１以外に、ベース４２０、ホルダ４３０、化粧カバー４４０、カバー４５０、カバー押え部材４６０および配線部材４７０等を備える。
【０１２８】
ベース４２０は、円板状であって、上面側の中央に搭載部４２１を有し、当該搭載部４２１に発光装置２０１が搭載されている。また、ベース４２０の上面側には、搭載部４２１を挟んだ両側にねじ孔４２２が設けられている。ベース４２０の周部には、挿通孔４２３、ボス孔４２４および切欠部４２５が設けられている。このベース４２０は、例えば、アルミダイキャスト等の金属材料から形成されている。
【０１２９】
ホルダ４３０は、円板状の押え板部４３１と、当該押え板部４３１の周縁に連続する円筒状の周壁部４３２とからなる形状を有する。押え板部４３１の中央部には窓孔４３３が設けられている。また、押え板部４３１の周部には、組立ねじ４３５が挿通される挿通孔４３６が貫設されている。ここにおいて、挿通孔４３６に挿通された組立ねじ４３５をベース４２０のねじ孔４２２に螺合させることにより、ホルダ４３０がベース４２０に取り付けられる。このとき、発光装置２０１は、ベース４２０とホルダ４３０とで挟持される。
【０１３０】
化粧カバー４４０は、円環状であって、ホルダ４３０とカバー４５０との間に配置され、リード線４７１や組立ねじ４３５等を覆い隠している。化粧カバー４４０の中央部には窓孔４４１が形成されている。この化粧カバー４４０は、白色不透明の樹脂等の非透光性材料から形成されている。
【０１３１】
カバー４５０は、略ドーム状の本体部４５１と本体部４５１の周縁部から外方へ延設された外鍔部４５２とを有し、外鍔部４５２がベース４２０に固定されている。このカバー４５０は、例えば、シリコーン樹脂、アクリル樹脂、ガラス等の透光性材料から形成されており、発光装置２０１から出射された光はカバー４５０を透過してランプユニット４０１の外部へ取り出される。
【０１３２】
カバー押え部材４６０は、円環板状であって、２箇所に円柱状のボス４６１が突設されている。そして、ボス４６１をベース４２０のボス孔４２４に挿通させた状態で、ボス４６１の先端部を塑性変形させることにより、カバー押え部材４６０がベース４２０に固定される。このとき、カバー４５０の外鍔部４５２は、カバー押え部材４６０とベース４２０とで挟持される。また、カバー押え部材４６０は、アルミニウム等の金属材料や白色不透明の樹脂のような非透光性材料からなる。
【０１３３】
配線部材４７０は、発光装置２０１と電気的に接続された４本のツイストペア配線からなるリード線４７１を有し、リード線４７１の発光装置２０１に接続される側とは反対側の端部には、コネクタ４７２が取り付けられている。リード線４７１は、２個の電極パッド２０４０Ａと２個の電極パッド２０４０Ｂそれぞれに電気的に接続されている。また、リード線４７１は、ベース４２０の切欠部４２５を介してベース４２０の外部に導出される。
【０１３４】
＜実施の形態４＞
本実施の形態に係る照明装置５０１の断面図を図１９に示す。
【０１３５】
照明装置５０１は、実施の形態２で説明した発光装置２０１と、光量比率制御部とを備える。照明装置５０１は、発光装置２０１を光源として備えるランプユニット４０１（実施の形態３参照）と、光量比率制御部が光量比率制御回路５０４ｂとして組み込まれた電子安定器５０４を備える。
【０１３６】
具体的には、照明装置５０１は、天井Ｃに埋め込むようにして取り付けられるダウンライトであって、器具５０３と、電子式安定器５０４と、コントローラ５０５と、ランプユニット４０１とを備える。
【０１３７】
器具５０３は、ランプ収納部５０３ａと、安定器収納部５０３ｂと、外鍔部５０３ｃとを有する。器具５０３は、例えば、アルミダイキャスト等の金属材料から形成されている。ランプ収納部５０３ａは、有底円筒状であって、内部にランプユニット４０１が着脱自在に取り付けられる。安定器収納部５０３ｂは、ランプ収納部５０３ａの底側に延設されており、内部に電子式安定器５０４が収納されている。外鍔部５０３ｃは、円環状であって、ランプ収納部５０３ａの開口部から外方へ向けて延設されている。器具５０３は、ランプ収納部５０３ａおよび安定器収納部５０３ｂが天井Ｃに貫設された埋込穴Ｃ１に埋め込まれ、外鍔部５０３ｃが天井Ｃの下面Ｃ２における埋込穴Ｃ１の周部に当接された状態で、例えば取付螺子（不図示）によって天井Ｃに取り付けられる。
【０１３８】
電子式安定器５０４は、ランプユニット４０１に内蔵された発光装置２０１の発光部２０１２Ａ，２０１２Ｂそれぞれに各別に電力供給を行う電源回路５０４ａと、第１発光部２０１２Ａの光量と第２発光部２０１２Ｂの光量との比率を変化させる光量比率制御回路５０４ｂとを備える。また、電子式安定器５０４は、ランプユニット４０１と電気的に接続される電源線５０４ｃを有し、当該電源線５０４ｃの先端にはランプユニット４０１の配線部材４７０のコネクタ４７２に接続されるコネクタ５０４ｄが取り付けられている。そして、電源回路５０４ａは、電源線５０４ｃおよび配線部材４７０を介して発光部２０１２Ａ，２０１２Ｂそれぞれに電力供給を行う。
【０１３９】
また、電子式安定器５０４には、ユーザが、発光部２０１２Ａの光量と発光部２０１２Ｂの光量との比率を変化させる際に操作するコントローラ５０５が信号線５０５ａを介して接続されている。そして、光量比率制御回路５０４ｂは、コントローラ５０５から信号線５０５ａを介して入力される信号電圧に基づいて、電源回路５０４ａから発光部２０１２Ａに供給する電流の大きさと、電源回路５０４ａから発光部２０１２Ｂに供給する電流の大きさの比率を変化させる。これにより発光部２０１２Ａの光量と発光部２０１２Ｂの光量との比率が変化する。
【０１４０】
＜変形例＞
（１）実施の形態１では、発光部３１２Ａに供給する電流の大きさと、発光部３１２Ｂに供給する電流の大きさとを替えることにより、発光部３１２Ａの光量と発光部３１２Ｂの光量との比率を変化させていたが、この比率を変化させる手段はこれに限定されない。
【０１４１】
例えば、各発光部３１２Ａ，３１２Ｂを覆うように透過率可変フィルタを配置し、発光部３１２Ａ，３１２Ｂそれぞれに供給する電流の大きさは一定にし、透過率可変フィルタの透過率を変化させることにより、発光部３１２Ａの光量と発光部３１２Ｂの光量との比率を変化させる構成でもよい。この透過率可変フィルタとしては、例えば、液晶フィルタ等が挙げられる。
【０１４２】
（２）実施の形態１では、波長変換部材３３０Ａが黄色蛍光体および赤色蛍光体或いはシリケート系の緑色蛍光体および赤色蛍光体を含有し、波長変換部材３３０Ｂが緑色蛍光体および赤色蛍光体を含有する例について説明したが、含有する蛍光体の組み合わせはこれに限定されるものではない。例えば、波長変換部材３３０Ａが赤色蛍光体とシリケート系以外の緑色蛍光体とを含有するものであってもよい。また、波長変換部材３３０Ｂが、黄色蛍光体のみを含有するものであってもよい。
【０１４３】
（３）実施の形態２では、１１個の第１発光部２０１２Ａが群ＧＲ１，ＧＲ２を構成し、１１個の第２発光部２０１２Ｂが群ＧＲ３，ＧＲ４を構成し、基板２０１０上に群ＧＲ２，ＧＲ３，ＧＲ１，ＧＲ４の順に並ぶ形で配置されている例について説明したが、発光部２０１２Ａ，２０１２Ｂの配置はこれに限定されるものではない。
【０１４４】
本変形例に係る発光装置６０１，７０１の平面図を図２０（ａ）および（ｂ）に示す。なお、図２０（ａ）および（ｂ）では、電極パッドおよび配線パターンの図示は省略している。
【０１４５】
図２０（ａ）に示すように、発光装置６０１では、基板２０１０上に複数の発光部６０１２Ａ，６０１２Ｂが、当該複数の発光部６０１２Ａ，６０１２Ｂの長手方向に直交する方向において交互に配置されている。ここで、第１発光部６０１２Ａは、第１の白色光を出射し、第２発光部６０１２Ｂは、第２の白色光を出射する。
【０１４６】
また、図２０（ｂ）に示すように、発光装置７０１では、基板２０１０上に同心円環状の複数の発光部７０１２Ａ，７０１２Ｂが、中心から離れる方向に交互に配置されている。ここで、第１発光部７０１２Ａは、第１の白色光を出射し、第２発光部７０１２Ｂは、第２の白色光を出射する。
【０１４７】
発光装置６０１，７０１では、実施の形態２で説明した発光装置２０１に比べて、第１の白色光を出射する第１発光部６０１２Ａ，７０１２Ａと、第２の白色光を出射する第２発光部６０１２Ａ，７０１２Ｂとが基板２０１０上により均一に分散している。これにより、実施の形態２で説明した発光装置２０１に比べて、演色性および彩度が互いに異なる第１、第２の白色光の分離を低減することができる。
【０１４８】
（４）実施の形態２に係る発光装置２０１は、矩形板状の基板２０１０上に２種類の複数の細長の発光部２０１２Ａ，２０１２Ｂが並設されてなる例について説明したが、２種類の発光部の形状や配置はこれに限定されるものではない。
【０１４９】
本変形例に係る発光装置８０１，９０１，１００１，１１０１，１２０１の平面図を図２１（ａ）乃至（ｃ）並びに図２２（ａ）および（ｂ）に示す。  発光装置８０１，９０１，１００１は、いずれも細長の矩形板状の基板８１０を備える。
【０１５０】
図２１（ａ）に示すように、発光装置８０１は、２種類の細長の波長変換部材８３０Ａ，８３０Ｂを有する発光部８１２Ａ，８１２Ｂを備えている。そして、各発光部８１２Ａ，８１２Ｂは、波長変換部材８３０Ａ，８３０Ｂの長手方向が基板８１０の長手方向に一致し且つ基板８１０の短手方向で並んだ状態で基板８１０上に配設されている。ここで、第１発光部８１２Ａから、第１の白色光が出射され、第２発光部８１２Ｂから、第２の白色光が出射される。
【０１５１】
図２１（ｂ）に示すように、発光装置９０１は、２種類の複数のドーム状の波長変換部材９３０Ａ，９３０Ｂを有する発光部９１２Ａ，９１２Ｂを備えている。そして、２種類の発光部９１２Ａ，９１２Ｂは、基板８１０の長手方向に沿って交互に列状に配設されている。ここで、第１発光部９１２Ａから、第１の白色光が出射され、第２発光部９１２Ｂから、第２の白色光が出射される。
【０１５２】
図２１（ｃ）に示すように、発光装置１００１は、出力する白色光の２種類の複数のいわゆるＳＭＤ型の発光部１０１２Ａ，１０１２Ｂを備える。各発光部１０１２Ａ，１０１２Ｂは、ＬＥＤを囲繞する矩形枠状のハウジング１０３２Ａ，１０３２Ｂと、ハウジング１０３２Ａ，１０３２Ｂの内側に配置された波長変換部材１０３０Ａ，１０３０Ｂとを有する。そして、２種類の発光部１０１２Ａ，１０１２Ｂは、基板８１０の長手方向に沿って交互に列状に配設されている。ここで、第１発光部１０１２Ａから、第１の白色光が出射され、第２発光部１０１２Ｂから、第２の白色光が出射される。
【０１５３】
なお、第１発光部１０１２Ａから、第１の白色光が出射され、第２発光部１０１２Ｂから、第２の白色光が出射される。また、発光装置１１０１，１２０１は、いずれも矩形板状の基板２０１０を備える。
【０１５４】
図２２（ａ）に示すように、発光装置１１０１は、２種類の複数のドーム状の波長変換部材１１３０Ａ，１１３０Ｂを有する発光部１１１２Ａ，１１１２Ｂを備えている。そして、各発光部１１１２Ａ，１１１２Ｂは、基板２０１０上に行列状に配設されている。ここで、行列方向における少なくとも一方で隣り合う２つの発光部１１１２Ａ，１１１２Ｂは、種類が異なる。なお、第１発光部１１１２Ａから、第１の白色光が出射され、第２発光部１１１２Ｂから、第２の白色光が出射される。
【０１５５】
図２２（ｂ）に示すように、発光装置１２０１は、２種類の複数のいわゆるＳＭＤ型の発光部１２１２Ａ，１２１２Ｂを備える。各発光部１２１２Ａ，１２１２Ｂは、ＬＥＤを囲繞する矩形枠状のハウジング１２３２Ａ，１２３２Ｂと、ハウジング１２３２Ａ，１２３２Ｂの内側に配置された波長変換部材１２３０Ａ，１２３０Ｂとを有する。そして、２種類の発光部１２１２Ａ，１２１２Ｂは、基板２０１０上に行列状に配設されている。
【０１５６】
ここで、行列方向における少なくとも一方で隣り合う２つの発光部１１１２Ａ，１１１２Ｂは、種類が異なる。なお、第１発光部９１２Ａから、第１の白色光が出射され、第２発光部９１２Ｂから、第２の白色光が出射される。本構成においても、各種照明装置に適した発光装置を実現することができる。
【０１５７】
（５）実施の形態２では、波長変換部材２０３０Ａのみに酸化ネオジムを含有させ、波長変換部材２０３０Ｂは酸化ネオジムを含有しない構成とすることにより、発光装置２０１から第１、第２白色光が同時に出射される構成とした。しかし、第１、第２白色光を同時に出射する構成は、これに限定されるものではなく、例えば、複数の発光部の一部を覆うように酸化ネオジムが分散された透光性基材からなるフィルタを配置した構成であってもよい。
【０１５８】
本変形例に係る発光装置１３０１の平面図を図２３に示す。なお、実施の形態２と同様の構成については同一の符号を付して適宜説明を省略する。
【０１５９】
発光装置１３０１は、同一種類の複数の発光部１３１２の一部が、酸化ネオジムが分散された透光性基材からなるフィルタ１３６０で覆われている。そして、複数の発光部１３１２のうち、フィルタ１３６０で覆われたものと覆われていないものとで、光出力を個別に調整することができる。
【０１６０】
本構成によれば、フィルタ１３６０の大きさを変えるだけで、演色性と彩度のバランスを変更することができるので、発光装置１３０１の演色性と彩度のバランス変更を容易に実施できるという利点がある。
【０１６１】
（６）実施の形態１および２では、ＬＥＤ３２０として青色ＬＥＤを用いる例について説明したが、これに限定されるものではなく、例えば、緑色ＬＥＤや黄色ＬＥＤ等と光学フィルタとを組み合わせたものであってもよい。
【０１６２】
（７）実施の形態１および４では、電子式安定器１４，５０４に有線接続されたコントローラ６１，５０５により発光部３１２Ａ，３１２Ｂ或いは発光部２０１２Ａ，２０１２Ｂの光量比率を制御する例について説明したが、コントローラは必ずしも電子式安定器１４，５０４に有線接続されたものに限定されず、無線接続されたものであってもよい。
【符号の説明】
【０１６３】
１，５０１  照明装置
１４，５０４  電子式安定器
１４ｅ    光量比率制御回路
１４ｆ    電源回路
２１，４０１  ランプ（照明用光源）
３１Ａ，３１Ｂ，２０１  発光装置
３１２Ａ，３１２Ｂ，２０１２Ａ，２０１２Ｂ，６０１２Ａ，６０１２Ｂ，７０１２Ａ，７０１２Ｂ  発光部
【図１】
0005870312.tif 000003
【図２】
0005870312.tif 000004
【図３】
0005870312.tif 000005
【図４】
0005870312.tif 000006
【図５】
0005870312.tif 000007
【図６】
0005870312.tif 000008
【図７】
0005870312.tif 000009
【図８】
0005870312.tif 000010
【図９】
0005870312.tif 000011
【図１０】
0005870312.tif 000012
【図１１】
0005870312.tif 000013
【図１２】
0005870312.tif 000014
【図１３】
0005870312.tif 000015
【図１４】
0005870312.tif 000016
【図１５】
0005870312.tif 000017
【図１６】
0005870312.tif 000018
【図１７】
0005870312.tif 000019
【図１８】
0005870312.tif 000020
【図１９】
0005870312.tif 000021
【図２０】
0005870312.tif 000022
【図２１】
0005870312.tif 000023
【図２２】
0005870312.tif 000024
【図２３】
0005870312.tif 000025